(57)【要約】【課題】  草刈機のカット刃を保護し、駆動モータの駆動力によるカバー板の破損を防止できる軸受ユニット及びこれを用いた草刈機用保護カバーを提供する。【解決手段】  本発明に係る草刈機用保護カバーは、ハンドルに設けられる駆動モータの駆動軸に設けられるカット刃を保護するためのもので、前記カット刃の下部に位置するように前記駆動軸と結合される軸受と、該軸受と結合され前記カット刃の回転直径より相対的に大きな直径で形成され前記カット刃を保護する保護プレートを備えるカバー部材と、前記保護プレートが前記駆動モータの駆動力により回転力を受ける際、所定角度回転自在に前記保護プレートを支持するプレート回転支持手段と、前記保護プレートが曲がって前記カット刃と衝突することを防止するように前記カット刃と前記保護プレートとの離隔距離を一定距離以上に保たせる間隔保持部材を備える。これにより草刈機のカット刃と草刈機用保護カバーとの互換性をアップすることができ、草刈作業中軸受に異物が流入されることを効率よく遮断することによって、軸受の破損による草刈機用保護カバーの寿命が縮まることを防止できる。【選択図】図１
2013507985.tif 000002
【特許請求の範囲】
【請求項１】
軸受と、
前記軸受の内輪に接するように前記軸受の中空に嵌めこまれる挿入部と、該挿入部の上部に形成され草刈機カット刃の駆動軸が貫通するように軸貫通孔が形成された支持部を含む軸支持部材と、
前記草刈機カット刃の下部に設けられる保護板に結合され、前記軸受の外輪が接触するように嵌め込まれる保護板連結部材と、を含むことを特徴とする 軸受ユニット.
【請求項２】
前記保護板連結部材は、前記保護板の上面に締結部材を通じて着脱自在に結合される結合部と、該結合部から上方に所定長さ突出され、内周面が前記軸受の外輪と接する円筒部を含み、
前記軸支持部材は、前記挿入部の下端に前記軸受の下面を支持するように径方向に所定長さ延びる拡張部と、前記支持部の縁部から下方に延びて前記円筒部の上端一部を包んで草刈作業中異物が前記軸受に流入されることを防止する異物遮断部をさらに備えることを特徴とする請求項１に記載の軸受ユニット。
【請求項３】
ハンドルに設けられる駆動モータの駆動軸に設けられるカット刃を保護するための草刈機用保護カバーであって、 
前記カット刃の下部に位置するように前記駆動軸と結合され、前記カット刃の回転直径より相対的に大きな直径で形成されて前記カット刃を保護する保護プレートを備えるカバー部材と、
前記カバー部材に前記カット刃を回転自在に結合させるものであって、軸受と、該軸受の内輪に連結され前記カット刃の駆動軸が貫通できる軸貫通孔が形成されている軸支持部材と、
前記軸受の外輪に接し、前記カバー部材の上面に結合される保護板連結部材を含む軸受ユニットと、を備えることを特徴とする草刈機用保護カバー。
【請求項４】
前記保護プレートが前記駆動モータの駆動力により回転力を受ける際、所定角度回転可能自在に前記保護プレートを支持するプレート回転支持手段と、
前記保護プレートが曲がって前記カット刃と衝突することを防止するように、前記カット刃と前記保護プレートとの離隔距離を一定距離以上に維持させる間隔保持部材をさらに備えることを特徴とする請求項３に記載の草刈機用保護カバー。
【請求項５】
前記プレート回転支持手段は、一端が前記ハンドルに固定され、他端が前記カット刃に干渉されないように前記保護プレートの縁部に支持されて、前記保護プレートを所定角度回転自在に支持するバネ部材を含み、
前記間隔保持部材は、上端が前記ハンドルに固定され、前記バネ部材を包むように延びており、下端が前記バネ部材と連結された前記保護プレートの縁部に接触することによって、前記保護プレートが前記バネ部材により初期位置に復帰する過程で撓むことを防止する保護管を備えることを特徴とする請求項４に記載の草刈機用保護カバー。
【請求項６】
前記保護プレートの上面に前記カット刃に向かって所定長さ突出して形成されて、前記駆動軸に異物が流入されることを遮断する補助異物遮断部をさらに備えることを特徴とする請求項３に記載の草刈機用保護カバー。
【請求項７】
前記保護プレートは、縁部から内側に所定深さ引き込まれている多数の切断用溝と、前記駆動軸からの半径が前記カット刃の回転半径より長く形成されている突出部が円周方向に沿って交互に形成されており、
前記切断用溝の端部と前記軸受との間に上下方に連通する多数個の切断用ホールが円周方向に沿って隔離して形成されており、 
前記補助異物遮断部は、前記軸受と隣接するそれぞれの前記切断用ホールの端縁部から上方に延びるように折曲形成された折曲プレートを備えることを特徴とする請求項６に記載の草刈機用保護カバー。
【請求項８】
前記保護プレートは、縁部から内側に所定深さ引き込まれている多数の切断用溝と、前記駆動軸からの半径が前記カット刃の回転半径より長く形成されている突出部が円周方向に沿って交互に形成されており、
前記補助異物遮断部は前記軸受と隣接する前記切断用溝の端縁部から上方に延びるように折曲形成された折曲プレートを備えることを特徴とする請求項６に記載の草刈機用保護カバー。
【請求項９】
前記保護プレートは縁部から内側に所定深さ引き込まれている多数の切断用溝と、前記駆動軸からの半径が前記カット刃の回転半径より長く形成されている突出部が円周方向に沿って交互に形成されており、
前記カット刃の回転方向に対向する前記切断用溝の一側縁には前記切断用溝に引き込まれた切断対象の草が前記カット刃により切られる過程で前記保護プレートの外側方向に押し出されることを防止するための押し出し防止突起が形成されていることを特徴とする請求項３に記載の草刈機用保護カバー。
【請求項１０】
前記保護プレートは縁部から内側に所定深さ引き込まれている多数の切断用溝と、駆動軸からの半径が前記カット刃の回転半径より長く形成されている突出部が円周方向に沿って交互に形成されており、
前記突出部の外側端部には草刈作業中前記保護プレートの端部が地表面に喰い込まれることを防止するように上方に所定角度折り曲げられた折曲部が形成されていることを特徴とする請求項３に記載の草刈機用保護カバー。
【発明の詳細な説明】
【技術分野】
【０００１】
本発明は軸受ユニット及びこれを用いた草刈機用保護カバーに係り、さらに詳しくは交換が可能であり、草刈作業中、異物の流入が遮断され、カット刃を保護するためのカバー板の破損を防止できる軸受ユニット及びこれを用いた草刈機用保護カバーに関する。
【背景技術】
【０００２】
草刈機は、ハンドルの回転軸の下端にカット刃を装備して、外部に露出された状態で使用していることから、無意識的に子供を含む人が近づいた場合に事故発生の危険性があり、作業中にカット刃が地面の物体と衝突する場合、カット刃が回転する速度によって地面上の物体が飛ばされる場合が度々発生した。
【０００３】
また、作業時カット刃が物体と衝突して曲がったり折れたりする場合があって、その衝撃によってユーザがハンドルを取り落とすなど２次的な事故を引き起こす恐れがある。
【０００４】
これに対して、実用新案登録第214892号などのように、カット刃を保護したまま雑草をスムーズに切るように、カット刃の下部に安全板を備えて事故を防止するようにした草刈機が多数開示されている。
【０００５】
しかし、前述した草刈機の場合にも、時間の経過に伴って作業中ハンドルを落としたり集中力の低下により安全板が地面に接するようになると、保護板が地面を貫いて地中へ喰い込まれるなどの問題点によってスムーズな雑草切りが困難であり、これにより作業効率の低下をもたらす短所があった。
【０００６】
前述した問題点を解消するための考案が実用新案登録20-0439951号に開示されている。
【０００７】
しかし、従来のカット刃保護用草刈機の場合。カット刃を保護するためのカット刃保護板がカット刃を回転させる駆動モータの駆動力により共に回転する回転力を受けるので、連結地点で破損が発生する危険があった。
【０００８】
従って、本出願人は、韓国特許出願第10-2009-0041732号において、カット刃を保護する保護板が所定角度回転自在に支持するプレート回転支持手段を備える草刈機用保護カバーを出願したことがある。
【０００９】
ところが、前記出願の従来の草刈機用保護カバーは、バネの復元力により保護カバーが初期位置に復帰する際、バネの復元力があまりにも大きくて曲がりが発生し、カット刃と衝突するなどの問題点が生じた。
【００１０】
かつ、草刈機のカット刃とカット刃の下部に結合される保護カバーとを相互連結する軸受に草刈作業中異物が流入されて、軸受の故障によって保護カバーの全体を取り替えるべきなどの問題点があって、過多なメンテナンスが問題点となっていた。
【発明の概要】
【発明が解決しようとする課題】
【００１１】
本発明は前述した従来の技術の問題点を解決するために案出されたものであって、その目的は草刈作業中異物の流入が最小化されることによって、軸受の寿命を延ばして草刈機用保護カバーの使用寿命を延ばせる軸受ユニットを提供し、草刈機のカット刃を保護する保護カバーが回転自在に支持されると共に、バネの復元力により初期位置に復元しても曲がりが発生しないように支持台と保護カバーとの離隔距離を一定レベル以上に保たせる間隔維持部材をさらに備える草刈機用保護カバーを提供するところにある。
【００１２】
本発明の他の目的は、雑草の除去過程において、異物がカット刃を回転自在に支持する回転支持部に流入されて、カット刃のスムーズな回転駆動を妨害することを防止できる草刈機用保護カバーを提供するところにある。
【００１３】
本発明のさらに他の目的は、雑草切りの際カット刃により切られる雑草が保護カバーから押されることを防止するすべり防止突起を含んで切断効率が低下することを防止し、保護カバーが地面を貫通してカット刃が地面または地面上の異物と衝突することを防止させることによって、カット刃の破損とユーザの怪我の危険性を最小化できる草刈機用保護カバーを提供するところにある。
【課題を解決するための手段】
【００１４】
前述した目的を達成するための本発明に係る軸受ユニットは、軸受と、該軸受の内輪に接するように前記軸受の中空に嵌めこまれる挿入部と、該挿入部の上部に形成され、草刈機カット刃の駆動軸が貫通するように軸貫通孔が形成された支持部を含む軸支持部材と、前記草刈機カット刃の下部に設けられる保護板に結合され、前記軸受の外輪が接触するように嵌め込まれる保護板連結部材を含む。
【００１５】
前記保護板連結部材は、草刈機用保護板の上面に締結部材を通じて着脱自在に結合される結合部と、前記結合部から上方に所定長さ突出され、内周面が前記軸受の外輪と接する円筒部を含み、前記軸支持部材は前記挿入部の下端から前記軸受の下面を支持するように放射状の方向に所定長さ延びる拡張部と、前記支持部の縁部から下方に延びて前記円筒部の上端の一部を包んで草刈作業中異物が前記軸受に流入されることを防止する異物遮断部をさらに備えることが望ましい。
【００１６】
本発明に係る草刈機用保護カバーは、ハンドルに設けられる駆動モータの駆動軸に設けられるカット刃を保護するためのもので、前記カット刃の下部に位置するように前記駆動軸と結合され、前記カット刃の回転直径より相対的に大きな直径で形成され前記カット刃を保護する保護プレートを備えるカバー部材と、該カバー部材に前記カット刃が回転自在に結合させるものであって、軸受と、該軸受の内輪に連結され、前記カット刃の駆動軸が貫通できる軸貫通孔が形成されている軸支持部材と、前記軸受の外輪に接し、前記カバー部材の上面に結合される保護板連結部材を含む軸受ユニットを備える。
【００１７】
前記保護プレートが前記駆動モータの駆動力により回転力を受ける際、所定角度回転自在に前記保護プレートを支持するプレート回転支持手段と、前記保護プレートが曲がって前記カット刃と衝突することを防止するように前記カット刃と前記保護プレートとの離隔距離を一定距離以上に保たせる間隔保持部材をさらに具備でき、前記プレート回転支持手段は一端が前記ハンドルに固定され他端が前記カット刃に干渉しないように前記保護プレートの縁部に支持されて、前記保護プレートが所定角度回転自在に支持するバネ部材を含み、前記間隔保持部材は上端が前記ハンドルに固定され、前記バネ部材を包むように延びて下端が前記バネ部材と連結された前記保護プレートの縁部に接触することによって、前記保護プレートが前記バネ部材により初期位置に復帰する過程で曲がることを防止する保護管を備えることが望ましい。
【００１８】
かつ、前記保護プレートの上面に前記カット刃に向かって所定長さ突出して形成され、前記駆動軸に異物が流入されることを遮断する補助異物遮断部をさらに備え、前記保護プレートは縁部から内側に所定深さ引き込まれている多数の切断用溝と、駆動軸からの半径が前記カット刃の回転半径より長く形成されている突出部が円周方向に沿って交互に形成されており、前記切断用溝の端部と前記軸受との間に上下方向に連通する多数個の切断用ホールが円周方向に沿って離隔形成されており、前記補助異物遮断部は前記軸受と隣接するそれぞれの切断用ホールの端縁部から上方に延びるように折り曲げて形成された折曲プレートを備えるのが望ましい。
【００１９】
前記保護プレートは、縁部から内側に所定深さ引き込まれている多数の切断用溝と、駆動軸から半径が前記カット刃の回転半径より長く形成されている突出部が円周方向に沿って交互に形成されており、前記補助異物遮断部は前記軸受と隣接する前記切断用溝の端縁部から上方に延びるように折り曲げて形成された折曲プレートを備えることが望ましい。
【００２０】
また、前記保護プレートは縁部から内側に所定深さ引き込まれている多数の切断用溝と、駆動軸からの半径が前記カット刃の回転半径より長く形成されている突出部が円周方向に沿って交互に形成されており、前記カット刃の回転方向に対向する前記切断用溝の一側縁には前記切断用溝に引き込まれた切断対象の草が前記カット刃により切断される過程で前記保護プレートの外側方向に押されることを防止するための押し防止突起が形成されうる。
【００２１】
また、前記保護プレートは、縁部から内側に所定深さ引き込まれている多数の切断用溝と、駆動軸からの半径が前記カット刃の回転半径より長く形成されている突出部が円周方向に沿って交互に形成されており、前記突出部の外側端部には草刈作業中前記保護プレートの端部が地表面を貫いて地下に喰い込まれることを防止するように上方へ所定角度折り曲げられた折曲部が形成されうる。
【発明の効果】
【００２２】
本発明に係る軸受ユニットは草刈機のカット刃と草刈機用保護カバーの互換性を高められ、草刈作業中軸受に異物が流入されることを効率よく遮断することによって、軸受の破損による草刈機用保護カバーの寿命が短縮することを防止できる。
【００２３】
本発明に係る草刈機用保護カバーは、保護カバーが初期位置に復帰する復帰力によりカット刃と衝突するほどに形態が変ることを防止でき、駆動軸に異物が流入されることを遮断してスムーズな駆動が可能になる利点がある。
【図面の簡単な説明】
【００２４】
【図１】本発明に係る草刈機用保護カバーの第１の実施形態を示した斜視図である。
【図２】図１のプレート回転支持手段を示した分離斜視図である。
【図３】図１のカバー部材を示した斜視図である。
【図４】軸受ユニットの分離斜視図である。
【図５】軸受ユニットの他の実施形態を示した分離斜視図である。
【図６】図５の断面図である。
【図７】軸受ユニットのさらに他の実施形態を示した分離斜視図である。
【図８】図７の断面図である。
【図９】図１の側断面図である。
【図１０】プレート回転支持手段の他の実施形態を示した部分切断斜視図である。
【図１１】草刈機用保護カバーの第２の実施形態を示した斜視図である。
【図１２】草刈機用保護カバーの第３の実施形態を示した平面図である。
【図１３】図１２の側断面図である。
【発明を実施するための形態】
【００２５】
以下に添付図面を参照しながら、本発明に係る軸受ユニットとこれを用いた草刈機用保護カバーを詳述する。
【００２６】
図１ないし図４には草刈機と該草刈機に装着される草刈機用保護カバーの第１実施形態が示されている。
【００２７】
同図を参照すれば、第１の実施形態にかかる草刈機は、ハンドル３０の端部に設けられた駆動モータ２０と、駆動モータ２０の駆動軸２１に設けられて駆動軸２１と共に回転しつつ切断対象となる草を切断するカット刃１０を備える。
【００２８】
勿論草刈機は、示されていないが、ユーザが操作して前記駆動モータ２０に駆動信号を印加するスイッチと、電源を供給する電源部をさらに備える。
【００２９】
草刈機用保護カバー１００は、前記カット刃１０の下部に位置するように駆動軸２１に支持されるカバー部材１１０と、カバー部材１１０をカット刃１０の駆動軸と連結する軸受ユニット１６０と、カバー部材１１０を支持するプレート回転支持手段１２９と、を含む。
【００３０】
駆動軸２１は軸受ユニット１６０によりカバー部材１１０に回転自在に結合され、軸受ユニット１６０と保護プレート１１２を貫通してから保護プレート１１２の下部で締結ナット４０により締結される。
【００３１】
カバー部材１１０は、保護プレート１１２を含むが、保護プレート１１２は中央上面に前記軸受ユニット１６０が装着され、軸受ユニット１６０を中心にして外周面までの距離がカット刃１０の回転半径より相対的に大きく形成されている。そして、保護プレート１１２の縁部には中央に向かって所定深さ引き込まれている切断用溝１１３が円周方向に沿ってお互い所定間隔離隔するように多数個が形成されている。
【００３２】
切断用溝１１３により切断用溝１１３の間には突出部１１４が形成され、よって保護プレート１１２の縁部には切断用溝１１３と突出部１１４が円周方向に沿って交互に形成されている形状になる。
【００３３】
前記切断用溝１１３の内側には、上下面を貫通する多数の切断用ホール１１５が形成されている。
【００３４】
保護プレート１１２は、突出部１１４がカット刃１０の回転半径よりさらに長く形成されているので、草刈を行う間にカット刃１０がいずれかの障害物に衝突する前に、先に突出部１１４に干渉するようになる。
【００３５】
従って、高速で回転するカット刃１０に小石やその他の異物が衝突して人に向かって飛び跳ねることを防止することができ、カット刃１０が草でない他の障害物と衝突して破損することを防止するようになる。
【００３６】
そして、前記切断用溝１１３と貫通ホール１１５が形成されているので、切断用溝１１３と貫通ホール１１５を通じて保護プレート１１２の上面より上側に雑草が突出し、保護プレート１１２の縁部内側に位置する雑草だけを切るようになるので、安全な草刈作業が行われる。
【００３７】
また、前記保護プレート１１２には前記軸受ユニット１６０を包む円周方向に沿って軸受ユニット１６０と駆動軸２１との連結地点に異物が流入されてカット刃１０の回転を妨害することを防ぐための補助異物遮断部が設けられているが、本実施形態では補助異物遮断部が前記貫通ホール１１５の縁部で軸受ユニット１６０を包む円周方向に沿って軸受ユニット１６０を離隔させるように上方へ延びた折曲プレート１１６よりなっている。
【００３８】
前記折曲プレート１１６は保護プレート１１２の加工時、貫通ホール１１５を穿孔する過程で、プレス機で穿孔作業を行う際、折り曲げられる箇所の縁部が切られるように穿孔し、これを折り曲げさせることによって形成される。
【００３９】
本実施形態では補助異物遮断部が保護プレート１１２の加工過程で折曲自在に加工できるようにするために所定間隔離隔する複数個の折曲プレート１１６を含むようになっているが、これとは違って、環状の円筒部材が軸受ユニット１６０を包むように保護プレート１１２の上部に結合されて形成される場合もある。
【００４０】
前記軸受ユニット１６０は、前述したように、保護プレート１１２に対してカット刃１０の駆動軸２１を回転自在に支持するためのものである。
【００４１】
軸受ユニット１６０は保護プレート１１２の上部に設けられるが、軸受１６１と、軸受１６１の内輪１６３と接する軸支持部材１７１と、軸受１６１の外輪１６４と接する保護板連結部材１８１と、を含む。
【００４２】
軸受１６１が通常使われるボール軸受のような形態で形成されるが、内輪１６３と外輪１６４が伝動体であるボール(図示せず)により相互連結されている形態であり、後述する軸支持部材１７１と保護板連結部材１８１を回転自在に連結できれば、図示された本実施形態とは異なる多様な形態の軸受が適用されうる。
【００４３】
前記軸支持部材１７１は、前記軸受１６１の内輪１６３の内周面と接するように軸受１６１の中空１６２に嵌め込まれる挿入部１７２と、該挿入部１７２の上端に形成され、カット刃１０の下面を支持する支持部１７３を含む。
【００４４】
前記支持部１７３には前記駆動軸２１が貫通できるように軸貫通孔１７６が形成されており、この軸貫通孔１７６を通過するように駆動軸２１が嵌め込まれると、カット刃１０は支持部１７３の上面に支持される。
【００４５】
また挿入部１７２の下端には拡張部１７４が設けられるが、拡張部１７４は軸受１６１の中空１６２を貫通するように結合された後、軸受１６１の下部で拡張させて形成する。拡張部１７４は挿入部１７２の下端から径方向に延びるので、拡張部１７４で軸受１６１の下端を支持するようになるので、軸支持部材１７１が軸受１６１に結合されれば拡張部１７４により軸受１６１と軸支持部材１７３とが分離されないように相互結合される。
【００４６】
そして、支持部１７３の縁部には下方に延びる異物遮断部１７５が設けられるが、異物遮断部１７５は後述する保護板連結部材１８１の上端より下部に所定長さ延びるように形成されていて、この異物遮断部１７５により草刈作業中異物が軸受１６１に流入されることを遮断できるので、軸受１６１の使用寿命を延ばす。
【００４７】
保護板連結部材１８１は保護プレート１１２の上面に締結部材１８６により着脱自在に結合される結合部１８２と、結合部１８２から上方に突出し、軸受１６１の外輪１６４に内周面が接する円筒部１８４を含む。
【００４８】
結合部１８２は多数個の締結ホール１８３が円周方向に沿って所定間隔離隔するように形成されており、前記締結部材１８６が締結ホール１８３と保護プレート１１２の結合ホール１１１を貫通して二つの部材を結合させる。
【００４９】
円筒部１８４は軸受１６１の外輪１６４に接し、円筒部１８４の上端には軸受１６１の上面を所定領域包むように折り曲げられた折曲部１８５が設けられている。
【００５０】
前記カット刃１０が回転すれば、カット刃１０及び駆動軸２１は前記軸受１６１の内輪１６３と接する軸支持部材１７１と共に回転し、保護プレート１１２は軸受１６１の外輪１６４と接する保護板連結部材１８１により連結されるので、カバー部材は回転せず、カット刃だけ回転が行われる。
【００５１】
そして、軸受ユニット１６０は駆動軸２１が貫通する中空１６２が形成されているだけであって、駆動軸２１がカット刃１０と一体化されていて、保護プレート１１２の下部で別のナットで固定する方式や締結ピンを保護プレート１１２の下部から上方に挿入して前記カット刃１０に螺合させる方式の両方が適用可能である。
【００５２】
図５及び図６には軸受ユニット２６０の他の実施形態が示されている。
【００５３】
本実施形態の軸受ユニット２６０は軸受２６１と、保護板連結部材２８１と、軸支持部材２７１及びカバー部材２９１を含む。
【００５４】
軸受２６１には内輪２６３と外輪２６４とが設けられており、内輪２６３にはカット刃の回転軸が挿入されうるように中空２６２が形成されている。
【００５５】
保護板連結部材２８１は図４に示された実施形態と同じく、結合部２８２、円筒部２８４、折曲部２８５が設けられている。
【００５６】
軸支持部材２７１は、図４の実施形態において異物遮断部１７５が省略された構造であり、支持部２７３には上面に突起２７５が円周方向に沿って延びて形成されている。突起２７５の外側直径は支持部２７３の縁部の直径に比べて相対的に小さいので、突起２７５の外側に段が形成される。
【００５７】
本実施形態の軸支持部材２７１も軸受２６１の中空２６２に挿入される挿入部２７２が設けられており、挿入部２７２の下端が外側へ広がって拡張部２７４を形成して軸受２６１の下端を支持するように形成される。
【００５８】
カバー部材２９１は軸支持部材２７１を包むように設けられて、異物が軸受２６１側に流入されることを遮断するものであり、支持部２７３の上面に装着される上側カバー２９２と、上側カバー２９２の縁部から下方に延びる側面カバー２９３と、を備える。
【００５９】
上側カバー２９２は中央に前記突起２７５の外側直径に対応する中央ホール２９４が形成されていて、上側カバー２９２が支持部２７３に装着される時中央ホール２９４に突起２７５が嵌め込まれる。そして、側面カバー２７３は下方に延びて保護板連結部材２８１の結合部２８２に隣接するようになることから、外部の異物が軸受２６１に流入されることを遮断し、異物が流入されてもカバー部材２９１を分離して異物を容易に除去できる。
【００６０】
図７及び図８には軸受ユニット３６０のさらに他の実施形態が示されている。
【００６１】
本実施形態の軸受ユニット３６０は、軸受３６１と、軸支持部材３７１、カバー部材３９１の基本的な構成が前述した実施形態と同一である。
【００６２】
但し、本実施形態の場合、保護板連結部材３８１が折曲部なしに円筒部３８４が軸支持部材３７１の上面に対応する高さまで上方に延びている。従って、カバー部材３９１の上側カバー３９２の下面に隣接して位置することから、異物が流入される離隔空間が極めて小さくて、異物遮断効果をさらにアップすることができる。
【００６３】
前記プレート回転支持手段１２０は、図９に示したように、一端と他端がそれぞれハンドル３０と保護プレート１１２に結合されるバネ部材１２６と、バネ部材１２６を包む保護管１２９を含む。
【００６４】
ハンドル３０には固定ブラケット１２１が設けられるが、固定ブラケット１２１はハンドル３０を包めるようになっており、両端が並んで突き出される締結部１２２が形成されており、この締結部１２２にはそれぞれ締結ホール１２３が形成されている。
【００６５】
固定ブラケット１２１は締結ボルト１２４と締結ナット１２５により固定されるが、締結ボルト１２４を二つの締結ホール１２３を全て貫通するように挿入した後、端部を締結ナット１２５で締結することによって、固定ブラケット１２１をハンドル３０に固定させるようになる。
【００６６】
前記バネ部材１２６は上端と下端にそれぞれ第１、第２固定フック１２７、１２８が形成されているが、第１固定フック１２７は締結ボルト１２４に係止され、第２固定フック１２８は保護プレート１１２に形成されている固定ホール１１８を利用して係止される。
【００６７】
このバネ部材１２６によりカット刃１０が高速で回転する際、保護プレート１１２が所定角度回転自在になることから、保護プレート１１２の破損を防止するようになる。そして、回転した保護プレート１１２はバネ部材１２６の復元力により初期位置に復帰される。
【００６８】
本実施形態ではバネ部材１２６が回転された保護プレート１１２を初期位置に復帰させる弾性力を提供する部材として適用されたが、その他にも所定長さ伸張可能なゴム材のロープのように弾性変形が可能な多様な部材が適用されうる。
【００６９】
保護管１２９は、前記バネ部材を包むように設けられるもので、上端は固定ブラケット１２１に支持され、下端は保護プレート１１２の上面に支持される。
【００７０】
保護管１２９は、バネ部材１２６を保護すると同時に、保護プレート１１２とカット刃１０との離隔距離を一定距離に保たせる間隔保持部材として適用したものである。
【００７１】
前記保護プレート１１２が所定角度回転した後バネ部材１２６の復元力により初期位置に復帰する過程で、バネ部材１２６の引力があまりにも大きく働くと、バネ部材１２６と連結された保護プレート１１２の一側が上方に持ち上げられて地面で変形が発生する場合がある。
【００７２】
このように保護プレート１１２の一側が持ち上げられる変形が発生すれば、カット刃１０が保護プレート１１２と衝突する問題が生じうる。ところが、本実施形態のように一定深さを有する保護管１２９を通じて保護プレート１１２を支持すれば、保護管１２９により保護プレート１１２が上方へ持ち上げられることを防止できる。
【００７３】
本実施形態ではカット刃１０と保護プレート１１２との離隔間隔を一定に保つための間隔保持部材として保護管１２９が適用されたが、間隔保持部材はその他にも多様な形態に形成されうる。
【００７４】
かつ、前記保護プレート１１２が十分な強度を有して変形が発生しなければ、保護管１２９の設置を省略することもできる。
【００７５】
プレート回転支持手段１３０は図１０に示されているように形成されうる。
【００７６】
示されているように、プレート回転支持手段１３０は保護プレート１１２に一端が結合された支持棒１３１と、該支持棒１３１に引き込み及び引き出し自在に設けられる引き出しロッド１３６と、前記支持棒１３１の内部に設けられる弾性部材１３８を含む。
【００７７】
支持棒１３１は内部に前記引き出しロッド１３６が引き込み及び引き出しできるように長手方向に沿って延びた中空１３２が形成されており、前記中空１３２が上端を通じて開放されている。そして、下端は保護プレートに結合されているが、第１ユニバーサルジョイント１３３により回転自在に連結されている。
【００７８】
引き出しロッド１３６は上端がハンドルに設けられた固定ブラケット１３５に連結されているが、第２ユニバーサルジョイント１３４により連結されていて、引き出しロッド１３６も回転可能である。
【００７９】
引き出しロッド１３６の下端は支持棒１３１の内部に位置し、端部には支持棒１３１の中空１３２の内径に対応する直径の拡張板１３７が設けられている。前記引き出しロッド１３６は中空１３２の内径より小さな直径で形成されていて、支持棒１３１の内壁と引き出しロッド１３６との間には所定の空間が形成される。
【００８０】
前記弾性部材１３８は支持棒１３１の内部に設けられて、引き出しロッド１３６を支持棒１３１の下端に向かって引き込まれる方向に弾性バイアスさせるものである。
【００８１】
弾性部材１３８は一端が前記拡張板１３７に支持されており、他端が支持棒１３１の上端に設けられている係止爪(図示せず)に支持されている圧縮バネであり、弾性部材１３８の弾性力によって外力が働かない時には前記保護プレートとハンドルにそれぞれ連結された支持棒１３１と引き出しロッド１３６の全長が最小になる状態に維持される。
【００８２】
そして、草刈機の駆動によりカット刃が回転すれば、前記第１の実施形態のプレート回転支持手段１２０と同様に、保護プレートが所定角度に回転しつつ支持される状態を保てるようになる。
【００８３】
図１１にはカバー部材１５０の第２の実施形態が示されている。
【００８４】
本実施形態のカバー部材は、駆動軸が嵌め込まれる軸受ユニット１５１と、保護プレート１５２とを含む。
【００８５】
保護プレート１５２は軸受ユニット１５１を支持するベース板１５４と、ベース板１５４から放射状に延びる多数の突出部１５３を含むが、前記突出部１５３の長さはカット刃１０より相対的に長く形成されていて、地面の小石のような障害物がカット刃１０より保護プレート１５２に先に干渉されるようになっており、突出部１５３の間にはベース板１５４に向かって引き込まれている切断用溝１５５が形成される。
【００８６】
本実施形態の保護プレート１５２は、切断用溝１５５の引き込み深さが第１の実施形態に示されている保護プレート１１２に比べて相対的に深いので、薄のように一般の雑草や芝に比べて相対的に背が高い植物を切ることがさらに容易である。
【００８７】
特に、突出部１５３には先端からベース板１５４に向かって所定長さ離隔された地点に切断用溝１５５に向かって突出したストッパ１５６が設けられていて、切断用溝１５５へ導かれた草が外側に離脱せず容易に切られるようになっている。
【００８８】
本実施形態の保護プレート１５２にも切断用溝１５５の端部側の縁部に上方へ突出した折曲プレート１５７が補助異物遮断部として適用されたが、形成方法や形態は前述した実施形態と同一である。
【００８９】
図１２及び図１３には草刈機用保護カバー２００の第３の実施形態が示されている。
【００９０】
図１２及び図１３は、それぞれ本実施形態の草刈機用保護カバー２００の平面図と断面図であるが、図面を参照すれば、本実施形態の草刈機用保護カバー２００は保護プレート２１０が第２の実施形態のように縁部から軸受が設けられる中央部まで引き込み深さが深く形成された切断用溝２１１が形成されている。
【００９１】
そして、切断用溝２１１の縁部のうちカット刃１０の回転方向Ｄに対向する一側には切断用溝２１１の縁部から中央に向かって連続して形成された押し出し防止突起２１２が形成されている。
【００９２】
前記押し出し防止突起２１２は第２の実施形態のストッパ１５６のような役割、すなわち雑草が切られる過程で切断用溝２１１から外れる方向に押し出されて雑草の切断が円滑に行われないことを防止するためのものである。
【００９３】
本実施形態の押し出し防止突起２１２は切断用溝の内側から縁部に向かって所定長さ連続して複数形成されているので、雑草切断過程で雑草の押し出しが発生することを最小化できる。
【００９４】
また、保護プレート２１０の端縁部には所定角度上方へ折り曲げられて上がるように形成された折曲部２１３が設けられている。
【００９５】
この折曲部２１３は、草刈作業中保護プレート２１０の端部が地中に喰い込まれることを防止するためのものであるが、一般に草刈作業の遂行時カット刃１０と保護プレート２１０を斜めに傾けたまま草刈作業が行われる場合もあるが、この場合は保護プレート２１０の端部が地表面を貫いて、カット刃１０が地表面の石のような異物に衝突することを防止できなくなる場合がある。
【００９６】
従って、本実施形態のように折曲部２１３を形成しておくことによって、保護プレート２１０が草刈作業中地中に喰い込まれることを防止する。
【００９７】
第２、第３の実施形態の草刈機用保護カバー２００も示されていないが、プレート回転支持手段が設けられている。
【産業上の利用可能性】
【００９８】
本発明は草刈作業中異物の流入が遮断され、カット刃を保護するためのカバー板の破損を防止できる軸受ユニット及びこれを用いた草刈機用保護カバーに適用可能である。
【符号の説明】
【００９９】
10; 草刈機
20; 駆動モータ
30; ハンドル
100; 草刈機用保護カバー
110; カバー部材
112; 保護プレート
113; 切断用溝
114; 突出部
116; 折曲プレート
120; プレート回転支持手段
126; バネ部材
129; 保護管
160; 軸受ユニット
【図１】
2013507985.tif 000003
【図２】
2013507985.tif 000004
【図３】
2013507985.tif 000005
【図４】
2013507985.tif 000006
【図５】
2013507985.tif 000007
【図６】
2013507985.tif 000008
【図７】
2013507985.tif 000009
【図８】
2013507985.tif 000010
【図９】
2013507985.tif 000011
【図１０】
2013507985.tif 000012
【図１１】
2013507985.tif 000013
【図１２】
2013507985.tif 000014
【図１３】
2013507985.tif 000015
【国際調査報告】
2013507985.tif 000016
2013507985.tif 000017
2013507985.tif 000018
2013507985.tif 000019
2013507985.tif 000020
2013507985.tif 000021